(57)【要約】      （修正有）【課題】ペットボトルのキャップ取付け部に取付けて、敷居溝や風呂蓋などの清掃し難い溝状の部分でも、無水状態で、または水を供給しながら清掃できるペットボトルの活用手段の提案。【解決手段】一端側にペットボトルのキャップ取付け部への嵌合用開口部１１を備えたキャップ本体１と、他端側に植毛したブラシ２と、該キャップ本体１内に内装される内圧調節スプリング３と、該スプリング３の受圧駒４と、該駒４を固定するリング５とからなり、前記キャップ本体１は、開口部１１の内面に形成された嵌合用螺旋条１２と、その奥側に形成されたリング固定穴１３と、最先端側に形成された水吐出穴とを有し、前記スプリング３の受圧駒４は、リング５の内孔と嵌合する凸曲面と、スプリング３の圧力を受け止める受圧部とを有し、前記リング５は、駒４の凸曲面と水密状に嵌合し、駒４の外方への飛び出しを防止する内孔を備えている構成とした。【選択図】図１
0003133441.tif 000002
【実用新案登録請求の範囲】
【請求項１】
使用後のペットボトルのキャップ取付け部に取付けて使用する清掃用ブラシであって、一端側にペットボトルのキャップ取付け部への嵌合用開口部(11)を備えたキャップ本体(1)と、他端側に植毛したブラシ(2)と、該キャップ本体(1)内に内装される内圧調節スプリング(3)と、該スプリング(3)の受圧駒(4)と、該駒(4)を固定するリング(5)とからなり、前記キャップ本体(1)は、開口部(11)の内面に形成された嵌合用螺旋条(12)と、その奥側に形成されたリング固定穴(13)と、最先端側に形成された水吐出穴(16)とを有し、前記スプリング(3)の受圧駒(4)は、リング(5)の内孔(51)と嵌合する凸曲面(41)と、スプリング(3)の圧力を受け止める受圧部(42)とを有し、前記リング(5)は、駒(4)の凸曲面(41)と水密状に嵌合し、駒(4)の外方への飛び出しを防止する内孔(51)を備えている構成としてあるペットボトル利用ブラシ。
【請求項２】
スプリング(3)がコイルスプリングであって、キャップ本体(1)がこのコイルスプリングの挿入穴(15)を備えているものである請求項１に記載のペットボトル利用ブラシ。
【請求項３】
リング(5)が、駒(4)の凸曲面(41)と嵌合する内孔(51)を備えた柔らかいリング(5A)とその周縁部(52)を固定する硬いリング(5B)との２部材で形成されている請求項１または２に記載のペットボトル利用ブラシ。
【考案の詳細な説明】
【技術分野】
【０００１】
本考案は、使用後のペットボトルを利用して、そのキャップ取付け部に取付けて使用する清掃用ブラシに関するものである。より詳しくは、このペットボトルをブラシの握り柄として利用しながら清掃する清掃用ブラシに関するものである。
【背景技術】
【０００２】
この種のペットボトルは、内部の充填飲料を飲用した後の空容器は、無用物として一般的にはその大部分が廃棄されている。しかしながら、資源の有効利用と廃棄物の有効活用との観点から、空容器を活用する幾つかの提案もなされている。
【０００３】
その一つの手段としては、特許文献１に見られるように、空容器となったペットボトルを利用して、そのキャップ取付け部に、一つ又は複数個の孔をあけたキャッブを取付けて、このキャップの孔からボトル内の水を飛び出させて、ペットのお尻を洗浄するようにしたペットお尻洗浄具が提案されている。
【０００４】
また、特許文献２に見られるように、同様に空容器となったペットボトルを利用して、そのキャップ取付け部に取付けるキャップに、先端部に洗浄液吐出用の穴を形成した平角筒を取付けて、この平角筒の先端部に明けた穴から洗浄液を吐出させてお尻を洗浄するようにした携帯用のお尻洗浄器も提案されている。
【特許文献１】特開２００５−３１２４１９号公報
【特許文献２】特開２００６−２８０８３４号公報
【考案の開示】
【考案が解決しようとする課題】
【０００５】
しかしながら、これらの空のペットボトル利用手段は、ペットか人間のお尻を洗浄するものであり、その技術思想は、水または洗浄液を穴から噴き出させて、その噴射水を直接ペットか人間のお尻に当てつけることによって、噴水圧を利用してお尻の洗浄を行うというものである。
【０００６】
そこで、本考案は、このようなお尻に水を吹き付けてお尻の洗浄を行うという従来の手段とは別の空ペットボトルの活用手段として、ペットボトルのキャップ取付け部に取付けるキャップに清掃用のブラシ体を直接植毛してあるものとし、ペットボトルを清掃用の握り柄として、例えば建物の敷居溝とか、風呂蓋とかのような、普段は清掃し難い溝状の部分でもブラシを押し付けながら、また、必要に応じて水を供給しながら容易に清掃を行うことができるようにした空ペットボトルの活用手段をここに提案しようとするものである。
【課題を解決するための手段】
【０００７】
該目的を達成するために講じた本考案のペットボトル利用ブラシの構成は、使用後のペットボトルのキャップ取付け部に取付けて使用する清掃用ブラシであって、一端側にペットボトルのキャップ取付け部への嵌合用開口部１１を備えたキャップ本体１と、他端側に植毛したブラシ２と、該キャップ本体１内に内装される内圧調節スプリング３と、該スプリング３の受圧駒４と、該駒４を固定するリング５とからなり、前記キャップ本体１は、開口部１１の内面に形成された嵌合用螺旋条１２と、その奥側に形成されたリング固定穴１３と、最先端側に形成された水吐出穴１６とを有し、前記スプリング３の受圧駒４は、リング５の内孔５１と嵌合する凸曲面４１と、スプリング３の圧力を受け止める受圧部４２とを有し、前記リング５は、駒４の凸曲面４１と水密状に嵌合し、駒４の外方への飛び出しを防止する内孔５１を備えている構成としたものである。
【０００８】
また、このような構成としたペットボトル利用ブラシの実施に当たっては、スプリング３をコイルスプリングとし、キャップ本体１をこのコイルスプリングの挿入穴１５を備えているものとして実施することができる。
【０００９】
また、駒押さえのリング５を、駒４の凸曲面４１と嵌合する内孔５１を備えた柔らかいリング５Ａと、その周縁部５２を固定する硬いリング５Ｂとの２部材で形成されているものとして実施することができる。
【考案の効果】
【００１０】
本考案にいうペットボトル利用ブラシは、一端側にペットボトルのキャップ取付け部への嵌合用開口部を備えたキャップ本体の他端側に直接ブラシを植毛したものとしてあるので、ペットボトルをブラシ清掃のための握り柄として利用することによって、例えば、建造物における敷居溝や、オコーディオン形の折りたたみ式とした風呂蓋のような、普段は清掃し難い溝状の部分でもブラシを押し付けながら清掃することができる効果がある。
【００１１】
更に、キャップ本体内には、駒をキャップ本体の開口部側に向かって押圧する内圧調節スプリングと、その受圧駒と、該駒を固定するリングとを内挿し、ペットボトル首部への嵌合用螺旋条の奥側に形成してあるリング固定穴にリングを固定すると同時に、リングの内孔で駒の凸曲面を受け止めさせて水密状に嵌合させると同時に、駒の外方への飛び出しを防止するようにしてあるので、ペットボトル内に水を入れた状態でペットボトルが倒れ姿勢になっても水が自然に漏れ出すことはなく、ペットボトルを押して外圧を加えると水圧によって、駒が一時的にスプリング圧に抗して後退し、リングの内孔と駒の凸曲面との間に隙間が生じ、先端の吐出穴から水を吐出させることができるので、必要に応じてブラシに水を供給しながら水洗清掃をも容易に行うことができるという効果も同時に有しているものである。
【考案を実施するための最良の形態】
【００１２】
本考案を実施するに当たっては、キャップ本体１内に挿入した駒４を開口部側に向かって凹圧するスプリング３をコイルスプリング以外の、弧状に曲げた板状スプリングとしたり、駒４の背面側（受圧部）か、駒４を受け止めるキャップ本体１の駒配置穴１４の壁面１７かに、クッション用小突起を同時成形して、別部材としてのスプリングを省略して実施してもよい。駒４の形状は矢尻形である必要はなく、球体やその類似形状としても実施することができる。
【００１３】
また、駒押さえのリング５は、駒４の凸曲面４１と嵌合する内孔５１を備えていて、駒４を所定の姿勢に保持させておくことができるものであればよいので、柔らかいリング５Ａと硬いリング５Ｂとの２部材で形成する必要はない。
【実施例】
【００１４】
以下本考案の実施例について図面に基づいて説明する。図１乃至図６は、本考案の主たる実施例を示した図であって、図１は各部品を示す分解斜視図、図２は図１の各部品の中央縦断形状を示す断面図、図３は図１の各部品の外観形状を示す正面図、図４は図１の各部品をそれぞれ手前側から見た外観形状を示す側面図、図５は全体の組み立て状態を示す中央縦断面図、図６はペットボトルへの装着状態を示す斜視図である。
【００１５】
この主たる実施例に示したペットボトル利用ブラシは、内部の液体を飲用した使用済みの空のペットボトルのキャップの取付け部に取付けて使用する清掃用ブラシである。該ブラシは、図１，２にみられるように、一端側にペットボトルＰのキャップ取付け部ｔへの嵌合用開口部１１を備えたキャップ本体１と、他端側に植毛したブラシ２と、該キャップ本体１内に内装される内圧調節用のコイルスプリング３と、該スプリング３の圧を受ける受圧駒４と、該駒４を固定する２枚のリング５Ａ，５Ｂとで構成されている。
【００１６】
これらの内、前記キャップ本体１は、開口部１１の内面にボトルへの嵌合用螺旋条１２を備えていて、その奥側にリング固定穴１３と、駒受け穴１４と、スプリング挿入穴１５と、その最先端側に水吐出穴１６とを備えている。また、開口部１１と反対側の面には、ブラシ２を植毛してある。なお、該本体１の外周面には、長手方向に沿った滑り止め用の小さい突出リブ１８を形成してある。
【００１７】
前記スプリング３の受圧駒４は、前記２枚のリング５Ａ，５Ｂの内の１枚目のリング５Ａの内孔５１と嵌合する凸曲面４１を片面側に備え、その背面側に前記スプリング３の圧力を受け止める受圧部４２とを有し、更に、この背面側から突出させたスプリング固定軸４３とを備えている。
【００１８】
リング５は、駒４の凸曲面４１と嵌合する内孔５１を備えた柔らかいリング５Ａと、このリング５Ａの周縁部５２に接当して前記キャップ本体１のリング固定穴１３に固定する硬いリング５Ｂとの２部材で形成されている。言うまでもなく、このリング５は、必ず２枚必要なものではなく、駒４にかかっているスプリング圧を受け止め、ボトル内に内圧を掛けたときその水圧で駒４を奥側に移動させて、水の通過間隙を形成する作用を果たすものであれば１枚のリングでも充分である。
【００１９】
このような各部品は、図５に示したように、キャップ本体１に対して、図１，２に記載のように、駒４の背面のスプリング固定軸４３にスプリング３を外嵌して本体１内に挿入し、スプリング３による駒４の突出を押さえながら、薄いリング５Ａを奥側にして２枚のリング５Ａ，５Ｂをキャップ本体１のリング固定穴１３に押し込んで固定すればよい。
【００２０】
この図１乃至図５に示した各部品の大きさの概寸を、例示してみると次の通りである。キャップ本体１の外径＝３２ｍｍ，筒の長さ＝１８ｍｍ，植毛ブラシの長さ＝３５ｍｍである。
【００２１】
このような構造としたペットボトル利用ブラシは、図６に示したように、使用済みの空となったペットボトルＰのキャップ装着部ｔに装着して使用する。
【００２２】
図７及び図８は、それぞれ駒４の別実施例について示したもので、図７の駒４は、前記実施例に示した駒４におけるスプリング固定軸４３に代えて、その背面側にコイルスプリング３の一端部分を挿入する穴４３ａを形成してある構造としたものである。
【００２３】
続いて、図８に示した駒４は、これを押圧するコイルスプリング３に代わる弾性体として、その背面側に、周方向に突出しかつ背面側に向かって弧状となる複数の、図では四方に伸びた４本の弾性突起４５を一体的に形成してある構造とし、この弾性突起４５の弾性によって駒４をキャップ本体１の開口部１１側に向かって常時弾性付与させておく。本考案にいうところのスプリングは、このように駒とスプリング作用体とを一体化したものとして実施することもできるものである。
【００２４】
以上本考案の代表的と思われる実施例について説明したが、本考案は必ずしもこの実施例として示した構造のもののみに限定されるものではない。く、本考案にいう前記の構成要件を充足し、上記の目的を達成し、上記の効果を有する範囲内において適宜改変して実施することができるものである。
【産業上の利用可能性】
【００２５】
本考案にいうペットボトル利用ブラシは、空となったペットボトルのキャップ取付け部に取付けて、ペットボトルを握り柄として、そのブラシ部分を利用して、建物の敷居溝とか、風呂蓋とかのような、普段は清掃し難い溝状の部分でもブラシを押し付けながら清掃でき、必要に応じてボトル内の水をブラシ部に供給しながら清掃できるようにしてあるので、市場では大いに活用されるものと思われる。
【図面の簡単な説明】
【００２６】
【図１】本考案の実施例における各部品を示す分解斜視図。
【図２】図１の各部品の中央縦断形状を示す断面図。
【図３】図１の各部品の外観形状を示す正面図。
【図４】図１の各部品をそれぞれ手前側から見た外観形状を示す側面図。
【図５】全体の組み立て状態を示す中央縦断面図。
【図６】ペットボトルへの装着状態を示す斜視図。
【図７】駒の別実施例を示す斜視図。
【図８】駒とスプリングとを一体成形したものを示す斜視図。
【符号の説明】
【００２７】
１  キャップ本体
１１  嵌合用開口部
１２  嵌合用螺旋条
１３  リング固定穴
１５  挿入穴
１６  水吐出穴
２  ブラシ
３  内圧調整スプリング
４  受圧駒
４１  凸曲面
４２  受圧部
５  固定リング
５１  内孔
５２  周縁部
５Ａ  柔らかいリング
５Ｂ  硬いリング
【図１】
0003133441.tif 000003
【図２】
0003133441.tif 000004
【図３】
0003133441.tif 000005
【図４】
0003133441.tif 000006
【図５】
0003133441.tif 000007
【図６】
0003133441.tif 000008
【図７】
0003133441.tif 000009
【図８】
0003133441.tif 000010